(57)【要約】【課題】構成部品の保護することができ、かつ視認性を向上して保守作業を容易にする。【解決手段】カード処理装置１０を、成形された強度のある透明な樹脂製のカバーで３面以上覆う。また、モーター２６のエンコーダ３４を、透明の樹脂製のエンコーダカバー３６で覆う。カバー３２、エンコーダカバー３６の内部の適宜箇所に可視光源を設け、ＡＴＭ等の内部に設置されて、暗い環境の下でも、内部の部品等を照明することができ、保守作業性を向上することができる。
2017077875.tif 000002
【特許請求の範囲】
【請求項１】
カードを搬送する駆動部を構成する部品、及びカードの記録部に対して情報を読み書きする処理部を構成する部品が、被組付部材に組み付けられることで外形輪郭が方形状の多面体とされたカード処理装置であって、
予め定められた透明度及び強度の合成樹脂製であり、前記方形状の多面体の少なくも３面に設けられ、前記部品を保護するカバーを有するカード処理装置。
【請求項２】
前記カバーの内面は、非組付部材としての板金、前記部品として基板が対峙されており、当該カバーは、前記板金及び前記基板との間に所定の隙間が形成されていることを特徴とする請求項１記載のカード処理装置。
【請求項３】
前記カバーは、前記方形状の多面体の各面毎に別部材として取り付けられていることを特徴とする請求項１又は請求項２記載のカード処理装置。
【請求項４】
前記方形状の多面体の各面毎に設けられたカバーが、相互に係合又は螺合されて組み付けられていることを特徴とする請求項３記載のカード処理装置。
【請求項５】
少なくとも一つの面のカバーは、独立して着脱または開閉可能とされていることを特徴とする請求項４に記載のカード処理装置。
【請求項６】
前記方形状の多面体の少なくも３面に設けられたカバーの内、２面のカバーが前記方形状の多面体の対向面に設けられ、または、当該対向面に設けられた２面のカバーの内、１面のカバーが他の１面のカバーよりも剛性が高いことを特徴とする請求項１記載のカード処理装置。
【請求項７】
前記カバーの一部に、通気用の開口部が形成されていることを特徴とする請求項１記載のカード処理装置。
【請求項８】
前記方形状の多面体の少なくも１面はカバーが無く大きく開口していることを特徴とする請求項１記載のカード処理装置。
【請求項９】
カード処理装置を構成する内部の部品が、予め定められた透明度及び強度の合成樹脂製の部品カバーをさらに有することを特徴とする請求項１記載のカード処理装置。
【請求項１０】
カード処理装置を構成する内部のモーターのエンコーダ部が、予め定められた透明度及び強度の合成樹脂製の部品カバーをさらに有することを特徴とする請求項９記載のカード処理装置。
【請求項１１】
カード処理装置を構成する内部に設けられ、装置本体内部の前記駆動部、前記処理部、及び各部品間の隙間を照明する照明手段をさらに有する請求項９記載のカード処理装置。
【請求項１２】
前記モーターのエンコーダ部の前記部品カバー内部を照明する照明手段をさらに有する請求項１１記載のカード処理装置。
【請求項１３】
前記モーターのエンコーダ部のフォトインタラプタの投光部が可視光であり、前記部品カバー内部を照明する照明手段を兼ねていることを特徴とする請求項１２記載のカード処理装置。
【請求項１４】
請求項１ないし請求項１３の何れか１項記載のカード処理装置を使用した自動取引装置。
【発明の詳細な説明】
【技術分野】
【０００１】
本発明は、カード処理装置、自動取引装置に関する。
【背景技術】
【０００２】
カード処理装置は、通常、板金か、黒色や灰色など不透明の樹脂で覆われている。カード処理装置はカード搬送機構やシャッタ機構などの可動部分を有するため、取り扱い時に使用者が誤って怪我をしないように保護するためである。また、カード処理装置自体を外部からの静電気などから保護するためである。【０００３】
カード処理装置が自動取引装置の内部ユニットである場合、全く覆われていない、保護構造の無いカード処理装置もある（特許文献１参照）。これは、このカード処理装置に一般の使用者が触れることは無く、触れるのは一定の作業教育を受けた係員や保守員のみに限られるためである。また、保護構造の中間的な物として、本体の一部を、薄く柔軟なマイラシートなどシート状の樹脂で覆ったカードリーダがある。
【先行技術文献】
【特許文献】
【０００４】
【特許文献１】特開２０１４−０９９２２９号公報
【発明の概要】
【発明が解決しようとする課題】
【０００５】
カード処理装置本体のメカ機構や回路基板が、保護構造（カバー）で覆われていないカード処理装置や、マイラシートで覆われているのみのカード処理装置は、取扱いに細心の注意を要する。【０００６】
これは、物理的な衝撃や静電気放電、回路の短絡によってカード処理装置が故障するためである。【０００７】
また、カード処理装置は、カード搬送機構やシャッタ機構などの可動部を有するので、使用者が不用意に可動部に触れる可能性がある。【０００８】
さらに、カード処理装置を設置したり、保守のために取り外したりする場合、カード処理装置の構成部品の機械的強度が弱いため、触れる箇所が限られ、カード処理装置本体を掴むように持つ事が出来ない。【０００９】
一例として、カード処理装置の外観が、板金等の不透明部材で覆われていれば比較的丈夫だが、重量が重い。また、カードが搬送路内に引っかかるなどの動作異常時に直接内部を見ることが出来ず、確認するために都度カバーを取り外さなければならない。【００１０】
特に、カード処理装置を自動取引装置に組み込んだ場合、通常、装置内部は影になり暗いので目視し難く、保守作業が行いにくい。【００１１】
本発明は上記事実を考慮し、構成部品の保護することができ、かつ視認性を向上して保守作業を容易にすることができるカード処理装置を得ることが目的である。
【課題を解決するための手段】
【００１２】
本発明は、カードを搬送する駆動部を構成する部品、及びカードの記録部に対して情報を読み書きする処理部を構成する部品が、被組付部材に組み付けられることで外形輪郭が方形状の多面体とされたカード処理装置であって、予め定められた透明度及び強度の合成樹脂製であり、前記多面体の少なくも３面に設けられ、前記部品を保護するカバーを有している。
【発明の効果】
【００１３】
本発明によれば、構成部品の保護することができ、かつ視認性を向上して保守作業を容易にすることができるという優れた効果を有する。
【図面の簡単な説明】
【００１４】
【図１】本実施の形態に係るカード処理装置の斜視図（カバー分解）である。
【図２】本実施の形態に係るカード処理装置の処理部の構成を示す側面断面図である。
【図３】本実施の形態に係るカード処理装置であり、（Ａ）はカード挿入口が設けられた正面図、（Ｂ）は図３（Ａ）の背面図、（Ｃ）は図３（Ａ）の右側面図、（Ｄ）は図３（Ａ）の上面図、（Ｅ）は図３（Ａ）の左側面図である。
【図４】本実施の形態に係るカード処理装置のカード搬送駆動系であるモーター及びエンコーダの拡大図である。
【発明を実施するための形態】
【００１５】
図１には、本実施の形態に係るカード処理装置１０の外観が示されている。カード処理装置１０は、挿入口１２からカード１４（図２参照）が挿入されることで、カード１４の磁気ストライプに対して情報を読み書きする機能を有するものであり、カード１４の搬送するための搬送機構部、及び、情報読み書き（情報処理）するための情報処理機構に関連する複数の部品が、緊密に組み込まれている。
【００１６】
図２は、搬送機構部におけるカード搬送動作、及び情報処理機構部における情報読み書き動作が実行されるカード処理装置１０の処理部１６を示す概略図である。
【００１７】
図２に示される如く、カード処理装置１０には、カード１４を長手方向Ｘに挿入する挿入口１２が設けられている。カード処理装置１０は、搬送ローラ対１８、２２、及び磁気ヘッドユニット２４を備えている。
【００１８】
搬送ローラ対１８、２２は、モーター２６（図１及び図４参照）駆動力により回転する。挿入口１２から挿入されたカード１４は、搬送ローラ対１８、２２により処理部内に取り込まれて、Ｘｉ、Ｘｗ方向へ往復搬送される。
【００１９】
磁気ヘッドユニット２４は、磁気ヘッド２８とパッドローラ３０を含んでいる。磁気ヘッド２８は、Ｘｉ、Ｘｗ方向へ移動するカード１４に接して、カード１４の磁気ストライプ対して磁気情報の読み取りと書き込みを行う。
【００２０】
パッドローラ３０は、磁気ヘッド２８と対向するように配置されている。パッドローラ３０は、磁気ヘッド２８と反対側からカード１４を支えて、磁気ヘッド２８との間にカード１４を厚み方向Ｚから挟む。移動するカード１４が摺接することで、パッドローラ３０は回転する。
【００２１】
一連の動作としては、カード１４が挿入口１２から挿入されると、カード１４が搬送ローラ対１８、２２により処理部内に取り込まれて、Ｘｉ方向へ搬送される。
【００２２】
カード１４は、磁気ヘッド２８とパッドローラ３０の間を通過する。このとき、磁気ヘッド２８がカード１４の裏面に弾性接触する。そして、磁気ヘッド２８は、カード１４と摺接しながら、カード１４の磁気ストライプに対して磁気情報の読み取りまたは書き込みを行う。パッドローラ３０は、カード１４と摺接しながら回転する。
【００２３】
ここで、本実施の形態のカード処理装置１０は、図１に示される如く、全体として方形状の多面体とされており、当該多面体の周囲の少なくとも３面がカバー３２で覆われた構造となっている。
【００２４】
図１及び図３に示される如く、本実施の形態では、カバー３２は、挿入口１２が設けられた面を正面とすると、上面に設けられた上面カバー３２Ａ、右側面に設けられた右側面カバー３２Ｂ、左側面に設けられた左側面カバー３２Ｃに分類される（総称する場合、単にカバー３２という）。このカバー３２は、それぞれ予め定めた透過度（本実施の形態では、透過度約１００％のポリカーボネイト、ＡＢＳやアクリル等が適用可能）の合成樹脂によって成形され、かつ、予め定めた剛性を持っている。予め定めた剛性は、それぞれのカバー３２の厚さ寸法に依存するが、本実施の形態では、厚さ寸法の下限値が０．５ｍｍ、及び、上限値が５．０ｍｍとされている。下限値は、作業者がカード処理装置１０を把持するとき、カバー３２に触れても、カバー３２が変形しない強度を目安としている。一方、上限値は、合成樹脂製の成形品において、ヒケ等の成形時の不具合が発生しないことを目安としている。
【００２５】
上面カバー３２Ａは、例えば、前述したカード１４の搬送経路である処理部１６に塵埃や異物が侵入することを防止する。
【００２６】
右側面カバー３２Ｂは、例えば、搬送ローラ対１８、２２を駆動するための駆動系（プーリー等）を保護する。
【００２７】
左側面カバー３２Ｃは、例えば、カード処理装置１０に組み込まれる回路基板を保護する。
【００２８】
なお、各カバー３２の保護の対象物（回路基板、プーリー、モーター、エンコーダ、サブ回路基板等）は、上記に限定されるものではなく、カード処理装置１０の構造によって変化するものである。
【００２９】
また、本実施の形態では、カード処理装置１０の前記方形状の多面体の周囲のカバー３２と別に、図４に示される如く、カード処理装置１０の内部構成部品であるモーター２６の回転速度を検出するエンコーダ３４を保護するためのエンコーダカバー３６が設けられている。
【００３０】
エンコーダ３４は、モーター２６の回転軸２６Ａに取り付けられ、周縁に一定間隔でスリット３８Ａが設けられた円板３８と、円板３８の周縁を挟むように設けられスリット３８Ａの有無を検出するフォトインタラプタ４０と、フォトインタラプタ４０からの出力信号を解析する基板部４２とで構成されている。
【００３１】
フォトインタラプタ４０は、可視光線を出力する投光部と、投光部からの光（例えば、可視光）を受ける受光部とを備え、円板３８が回転（すなわち、モーター２６が回転）すると、光軸が円板３８に設けられたスリット３８Ａと対峙、又は非対峙することによってパルス信号を出力する。基板部４２では、このパルス信号の周期によって、モーター２６の回転数の認識し、カード１４の搬送速度、搬送量を制御する。
【００３２】
すなわち、エンコーダ３４は、カード処理装置１０において、重要な役目を有する部品であり、エンコーダカバー３６によって保護することで、塵埃等の付着及び異物混入を原因とする故障の発生を軽減する。
【００３３】
以下に本実施の形態の作用を説明する。
【００３４】
カード処理装置１０を、予め定めた剛性をもって成形された透明な樹脂製のカバーで３２で、少なくとも３面を覆う。すなわち、挿入口１２が設けられた面を正面とすると、上面は上面カバー３２Ａで覆い、右側面は右側面カバー３２Ｂで覆い、左側面は左側面カバー３２Ｃで覆う。
【００３５】
上面カバー３２Ａは、例えば、カード１４の搬送経路である処理部１６に塵埃や異物が落下することを防止することができる。
【００３６】
また、右側面カバー３２Ｂは、搬送ローラ対１８、２２を駆動するための駆動系（プーリー等）に塵埃や異物が付着、堆積することを防止することができる。
【００３７】
さらに、左側面カバー３２Ｃは、カード処理装置１０に組み込まれる回路基板に塵埃や異物が付着又は堆積することを防止することができる。
【００３８】
なお、異物は、無機物に限らず、有機物及び有機物を作り出す生物等を含む場合がある。
【００３９】
また、図４に示される如く、カード処理装置１０の内部構成部品、例えばモーター２６のエンコーダ３４を透明の樹脂製のエンコーダカバー３６で覆う。
【００４０】
エンコーダ３４は、カード処理装置１０において、重要な役目を有する部品であるため、例えば、円板３８のスリット３８Ａが塵埃や異物によって閉塞されたりすると、カード１４の搬送速度にむらを発生させる故障要因となり得る。このため、エンコーダ３４をエンコーダカバー３６によって保護することで、塵埃等の付着及び異物混入を原因とする故障の発生を軽減することができる。
【００４１】
カバー３２及びエンコーダカバー３６は、予め定めた剛性を持っている。予め定めた剛性は、それぞれのカバー３２の厚さ寸法に依存する。
【００４２】
例えば、本実施の形態に適用されるカバー３２及びエンコーダカバー３６は、厚さ寸法の下限値が０．５ｍｍ、及び、上限値が５．０ｍｍとされている。厚さが０．５ｍｍ以上あれば、作業者がカード処理装置１０を把持するとき、カバー３２に触れても、カバー３２が変形しない。なお、厚さ０．５ｍｍは目安であり、材質の変更等により、０．５ｍｍ未満であっても目的の強度を維持できるようになれば、下限値を下げることが可能である。
【００４３】
一方、上限値は、合成樹脂製の成形品において、ヒケが発生しないことを目安としている。このヒケの発生は、材質の変更により発生する厚みが変化する場合がある。このため、材質の変更等により、５．０ｍｍ以上でもヒケが発生しないことが確認されれば、上限値を上げることが可能である。
【００４４】
また、カバー３２及びエンコーダカバー３６は、必要に応じて、適宜箇所にリブ等で補強を施してもよい。
【００４５】
ここで、カード処理装置１０の内部の適宜箇所に、ＬＥＤ等の可視光の光源を設けることで、カバー３２及びエンコーダカバー３６の透明性と相まって、カード処理装置１０の内部の機能状態を常に確認することができる。カード処理装置１０を自動取引装置に組み込んだ場合、カード処理装置１０自体が発光することで視認性が高まり、保守性が向上する。
【００４６】
照明箇所は、外部から見え難い装置本体内部の処理部１６、モーター２６のエンコーダ３４に設けたエンコーダカバー３６の内部等、単一箇所又は複数個所に限定されるものではない。
【００４７】
なお、エンコーダカバー３６の内部の照明は、エンコーダ３４に使われているフォトインタラプタ４０の投光部から照射される光を可視光として、別途取り付ける光源（ＬＥＤ）の代用としてもよい。
【００４８】
以上説明したように本実施の形態では、カード処理装置１０を掴むことができるので持ち運びが容易になる。
【００４９】
また、カード処理装置１０を物理的な衝撃や静電気放電、回路の短絡から守ることができる。また、塵埃や異物の混入、滞留を防止することができる。さらに、使用者が容易に可動部に触れることがなく、保護構造によって本体重量が重くなることがない。また、充電状態や処理部１６の動作状態を容易に知ることができる。
【００５０】
（カバー３２の構造及び組み付けの変形例）
上記実施の形態では、透明の合成樹脂製のカバー３２を前記方形状の多面体のカード処理装置１０の少なくとも３面に設けるようにしたが、以下のような構造及び組み付けの態様が考えられる。
【００５１】
図１に示される如く、カバー３２は、組み付けたときに密閉構造ではなく、隙間をあけることが好ましい。
【００５２】
カバー３２は、カード処理装置１０の架台となる板金や基板との間に隙間（例えば、３ｍｍ程度）をあけることが好ましい。カード処理装置１０の３面以上をカバー３２で囲っているが、隙間を十分設けているので換気がよく熱がこもることがない。
【００５３】
図１に示される如く、カード処理装置１０の少なくとも１面に設けたカバー３２（例えば、上面カバー３２Ａ）は、大きく開口していることが好ましい。
【００５４】
カバー３２は、箱型に成形してもよいし、一面毎に別な部品で構成してもよい。別部品で構成した場合、フック等の引っかけ構造と、少ない数の（例えば、単一の）ネジで固定することで、組み付け作業性を向上することができる。また、メンテナンス時においても、分解、組み立てが容易となる。また、必要部分のみのカバー３２を取り外し可能なので、不要な他部分のカバー３２を外して、不要な部品に触れることが軽減できる。
【００５５】
カード処理装置１０の上面カバー３２は、ネジとフックを外すことにより、９０°以上開く構造であることが好ましい。
【００５６】
上面カバー３２Ａには、左側面カバー３２Ｂ及び右側面カバー３２Ｃの固定を補強するリブ又は突起を設けることが好ましい。最も良く開閉する上面カバー３２Ａで、取り外しの少ない左側面カバー３２Ｂ及び右側面カバー３２Ｃを押えており、外す必要のあるネジなどが少なく、作業性が良い。
【００５７】
３面のカバー３２の内、少なくとも２面は対向している面であることが好ましい。また、対向する２面のカバー（図１では、左側面カバー３２Ｂと右側面カバー３２Ｃ）の内、少なくとも１面は，他の１面よりも剛性の高い材質で構成することが好ましい。
【符号の説明】
【００５８】
１０    カード処理装置
１２    挿入口
１４    カード
１６    処理部
１８、２２    搬送ローラ対
２４    磁気ヘッドユニット
２６    モーター
２８    磁気ヘッド
３０    パッドローラ
３２    カバー
３２Ａ    上面カバー
３２Ｂ    右側面カバー
３２Ｃ    左側面カバー
３４    エンコーダ
３６    エンコーダカバー
３８    円板
３８Ａ    スリット
４０    フォトインタラプタ
４２    基板部
【図１】
2017077875.tif 000003
【図２】
2017077875.tif 000004
【図３】
2017077875.tif 000005
【図４】
2017077875.tif 000006
【国際調査報告】
2017077875.tif 000007
2017077875.tif 000008
2017077875.tif 000009
2017077875.tif 000010